(57)【要約】      （修正有）【課題】便座の広範囲に接触跡が残ることを抑制するとともに、両開状態および両閉状態のいずれの状態でも便蓋と便座とが当接することを抑制できる便座装置を提供する。【解決手段】便座装置１０は、便器２の上に設置される本体部２０と、本体部に回転可能に軸支された便座３０と、本体部に回転可能に軸支された便蓋４０と、便蓋の裏面に突出して設けられた便蓋クッション部材５０とを備えている。便蓋クッション部材は、便座と便蓋との両方を開いた両開状態で、便座の表面と接触する第１の接触部と、第１の接触部とは離間した位置に設けられ、便座および便蓋の両方を閉じた両閉状態で、便座の表面と接触する第２の接触部５２と、両開状態および両閉状態のいずれの状態においても便座の表面と接触しない第１の非接触部とを有している。第１の非接触部は、第１の接触部および第２の接触部よりも突出量が小さく形成されている。【選択図】図１
2020103594.tif 000002
【特許請求の範囲】
【請求項１】
便器の上に設置される本体部と、
前記本体部に回転可能に軸支された便座と、
前記本体部に回転可能に軸支された便蓋と、
前記便蓋の裏面に突出して設けられた便蓋クッション部材と、を備え、
前記便蓋クッション部材は、
前記便座と前記便蓋との両方を開いた両開状態で、前記便座の表面と接触する第１の接触部と、
前記第１の接触部とは離間した位置に設けられ、前記便座および前記便蓋の両方を閉じた両閉状態で、前記便座の表面と接触する第２の接触部と、
前記両開状態および前記両閉状態のいずれの状態においても前記便座の表面と接触しない第１の非接触部と、
を有しており、
前記第１の接触部および前記第２の接触部は、前記第１の非接触部よりも前記便蓋の裏面から突出していることを特徴とする便座装置。
【請求項２】
前記第１の接触部および前記第２の接触部は、前記第１の非接触部よりも面積が小さく形成されていることを特徴とする請求項１に記載の便座装置。
【請求項３】
前記第１の接触部および前記第２の接触部は、それぞれ前記便蓋クッション部材における周縁部に設けられていることを特徴とする請求項１または２に記載の便座装置。
【請求項４】
前記第１の接触部および前記第２の接触部は、フラット面で形成されていることを特徴とする請求項１〜３のいずれか１つに記載の便座装置。
【請求項５】
前記第１の接触部と前記第２の接触部との間には、前記第１の接触部および前記第２の接触部と同一の突出量となるように形成された第２の非接触部が設けられていることを特徴とする請求項１〜４のいずれか１つに記載の便座装置。
【請求項６】
前記第１の非接触部は、前記第１の接触部、前記第２の接触部、および前記第２の非接触部から離れるに従って突出量が徐々に小さくなるように傾斜状に形成されていることを特徴とする請求項５に記載の便座装置。
【請求項７】
前記便蓋と前記便蓋クッション部材とには、前記便蓋クッション部材を前記便蓋に組付けるときに誤組付けを抑制する誤組付抑制部が設けられていることを特徴とする請求項１〜６のいずれか１つに記載の便座装置。
【発明の詳細な説明】
【技術分野】
【０００１】
本発明は、一般的に、便座および便蓋が開閉可能な便座装置に関する。
【背景技術】
【０００２】
一般的に便座装置は、便器の上に設置された本体部と、本体部に回転可能に軸支された便座と、本体部に回転可能に軸支された便蓋とを備えている。このような便座装置は、便蓋の裏面に、便蓋と便座が直接当接して便蓋および便座が傷付くことを抑制するために、エラストマ製の便蓋クッション部材が設けられている。そして、特許文献１には、略フラットな接触面を有する便蓋クッション部材が開示されている。
【先行技術文献】
【特許文献】
【０００３】
【特許文献１】特開２０１１−１７２７９０号公報
【発明の概要】
【発明が解決しようとする課題】
【０００４】
ところで、特許文献１に記載された便蓋クッション部材は、便座と便蓋が強く押し付けられたときに、便座と面当たりするため、便座の広範囲に接触跡が残る虞がある。そこで、球面状の接触面を有する便蓋クッション部材を用いることで、便座と点当たりさせて、便座の狭い範囲にしか接触跡が残らないようにすることが考えられる。
【０００５】
しかしながら、便蓋クッション部材において便座と接触しやすい位置は、便座および便蓋の両方を閉じた両閉状態と、便座および便蓋の両方を開いた両開状態とで異なる。ここで、便座装置を薄型化するために、便蓋クッション部材を低く形成することが考えられる。この場合、球面状の接触面を有する便蓋クッション部では、便座と便蓋とを両閉状態としたときの接触面の頂点が便座と当接するように配置すると、両開状態としたときには接触面の頂点と便座とが当接しなくなる虞がある。その結果、便蓋と便座が便蓋クッション部材以外で当接（接触）する虞れがある。また、両開状態としたときに接触面の頂点が便座と当接するように配置すると、両閉状態としたときには接触面の頂点と当接しないため、便蓋と便座が便蓋クッション部材以外で当接（接触）する虞れがある。
【０００６】
本発明はかかる課題の認識に基づいてなされたものであり、便座の広範囲に接触跡が残ることを抑制するとともに、便蓋クッション部材を低く形成した場合であっても、両開状態および両閉状態のいずれの状態でも便蓋と便座とが直接当接することを抑制できる便座装置を提供することを目的としている。
【課題を解決するための手段】
【０００７】
第１の発明は、便器の上に設置される本体部と、前記本体部に回転可能に軸支された便座と、前記本体部に回転可能に軸支された便蓋と、前記便蓋の裏面に突出して設けられた便蓋クッション部材と、を備え、前記便蓋クッション部材は、前記便座と前記便蓋との両方を開いた両開状態で、前記便座の表面と接触する第１の接触部と、前記第１の接触部とは離間した位置に設けられ、前記便座および前記便蓋の両方を閉じた両閉状態で、前記便座の表面と接触する第２の接触部と、前記両開状態および前記両閉状態のいずれの状態においても前記便座の表面と接触しない第１の非接触部と、を有しており、前記第１の接触部および前記第２の接触部は、前記第１の非接触部よりも前記便蓋の裏面から突出していることを特徴とする便座装置である。
【０００８】
この便座装置によれば、突出量の小さい第１の非接触部により、便座と便蓋が強く押し付けられた場合であっても、便蓋クッション部材と便座とが当たる面積を小さくできるため、便座の広範囲に接触跡が残ることを抑制できる。また、突出量の大きい第１の接触部と第２の接触部とにより、便蓋クッション部材を低く形成した場合であっても両開状態および両閉状態のいずれの状態でも便蓋と便座が直接当接することを抑制できる。
【０００９】
第２の発明は、第１の発明において、前記第１の接触部および前記第２の接触部は、前記第１の非接触部よりも面積が小さく形成されていることを特徴とする便座装置である。
【００１０】
この便座装置によれば、便座と便蓋が強く押し付けられた場合であっても、便蓋クッション部材と便座とが当たる面積をより小さくできるため、便座の広範囲に接触跡が残ることを抑制できる。
【００１１】
第３の発明は、第１または第２の発明において、前記第１の接触部および前記第２の接触部は、それぞれ前記便蓋クッション部材における周縁部に設けられていることを特徴とする便座装置である。
【００１２】
この便座装置によれば、第１の接触部と第２の接触部とが便蓋クッション部材の外縁側である周縁部に設けられているので、第１、第２の接触部材よりも外側に他の部位が設けられることなく、便蓋クッション部材の面積を最小化できる。
【００１３】
第４の発明は、第１〜第３のいずれか１つの発明において、前記第１の接触部および前記第２の接触部は、フラット面で形成されていることを特徴とする便座装置である。
【００１４】
この便座装置によれば、便座や便蓋のガタツキにより接触位置が多少ずれても、確実に第１、第２の接触部と便座の表面とを接触させることができる。
【００１５】
第５の発明は、第１〜第４のいずれか１つの発明において、前記第１の接触部と前記第２の接触部との間には、前記第１の接触部および前記第２の接触部と同一の突出量となるように形成された第２の非接触部が設けられていることを特徴とする便座装置である。
【００１６】
この便座装置によれば、第１の接触部と第２の接触部とが局所的に突出していないので、デザイン性や清掃性を向上させることができる。
【００１７】
第６の発明は、第５の発明において、前記第１の非接触部は、前記第１の接触部、前記第２の接触部、および前記第２の非接触部から離れるに従って突出量が徐々に小さくなるように傾斜状に形成されていることを特徴とする便座装置である。
【００１８】
この便座装置によれば、第１、第２の接触部と第１の非接触部とに段差がないので、便蓋クッション部材の全体が滑らかとなり、デザイン性や清掃性を向上させることができる。
【００１９】
第７の発明は、第１〜第６のいずれか１つの発明において、前記便蓋と前記便蓋クッション部材とには、前記便蓋クッション部材を前記便蓋に組付けるときに誤組付けを抑制する誤組付抑制部が設けられていることを特徴とする便座装置である。
【００２０】
この便座装置によれば、便蓋クッション部材の向きを間違えることなく、便蓋クッション部材を便蓋に組付けることができるので、組付作業の作業性を向上することができる。
【発明の効果】
【００２１】
本発明の態様によれば、便座の広範囲に接触跡が残ることを抑制するとともに、便蓋クッション部材を低く形成した場合であっても、両開状態および両閉状態のいずれの状態でも便蓋と便座とが直接当接することを抑制できる便座装置が提供される。
【図面の簡単な説明】
【００２２】
【図１】本発明の実施形態によるトイレ装置を示す斜視図である。
【図２】図１中の便蓋と便蓋クッション部材とを正面からみた正面図である。
【図３】図１中の便座、便蓋、便蓋クッション部材を矢示Ａ−Ａ方向からみた断面図である。
【図４】便座と便蓋とを閉じた状態を示す平面図である。
【図５】便座、便蓋、便蓋クッション部材を図４中の矢示Ｂ−Ｂ方向からみた断面図である。
【図６】図２中の便蓋クッション部材を便蓋から取外した状態を示す正面図である。
【図７】便蓋クッション部材を単体で示す斜視図である。
【発明を実施するための形態】
【００２３】
以下、本発明の実施形態について図面を参照しつつ説明する。なお、各図面中、同様の構成要素には同一の符号を付して詳細な説明は適宜省略する。
図１は、本発明の実施形態によるトイレ装置である。
以下の実施形態の説明では、「上側」、「下側」、「前側」、「後側」、「右側」、および「左側」を用いるが、これらの方向は、図１に示すように、便座３０に座った使用者から見た方向である。
【００２４】
図１に示すように、トイレ装置１は、洋式腰掛便器（以下説明の便宜上、単に「便器」と称する）２と、便器２の上側に設けられた便座装置１０とを備える。便器２は、下方に向けて窪んだボウル部２ａを有する。便器２は、ボウル部２ａにおいて使用者の尿や便などの排泄物を受ける。
【００２５】
図２は、図１中の便蓋と便蓋クッション部材とを正面からみた正面図である。
図３は、図１中の便座、便蓋、便蓋クッション部材を矢示Ａ−Ａ方向からみた断面図である。
図４は、便座と便蓋とを閉じた状態を示す平面図である。
図５は、便座、便蓋、便蓋クッション部材を図４中の矢示Ｂ−Ｂ方向からみた断面図である。
図６は、図２中の便蓋クッション部材を便蓋から取外した状態を示す正面図である。
図７は、右側の便蓋クッション部材を単体で示す斜視図である。
【００２６】
便座装置１０は、便器２の上に設置される本体部２０と、本体部２０に回転可能に軸支された便座３０と、本体部２０に回転可能に軸支された便蓋４０と、便蓋４０の裏面４１ａに突出して設けられた便蓋クッション部材５０とを備えている。便座装置１０の本体部２０は、便器２のボウル部２ａよりも後方の上側に設置されている。本体部２０は、後端側で便蓋４０を開閉可能に軸支し、便蓋４０よりも前側で便座３０を開閉可能に軸支している。
【００２７】
本体部２０は、内部が空洞のボックス状に形成され、便座３０と便蓋４０との開閉動作を制御する開閉ユニット、便座３０の温度を制御する便座暖房ユニット、人体局部の洗浄を行う洗浄ユニット、臭気成分を低減する脱臭ユニット、およびリモコン等の操作部と通信可能な通信ユニット等（いずれも図示せず）が必要に応じて内蔵されている。本体部２０の上端側には、前端側の左右両端に便座３０を回転可能に取付けるための便座取付部２１が設けられている。また、本体部２０の上端側には、各便座取付部２１の後側に便蓋４０を回転可能に取付けるための便蓋取付部２２がそれぞれ設けられている。
【００２８】
便座３０は、外縁部３０ａが便器２の外形形状に沿って湾曲して形成されている。便座３０の中央部には、便器２のボウル部２ａに対応して開口部３０ｂが形成されている。この開口部３０ｂは、便座３０の表面３０ｃから裏面３０ｄに向けて湾曲して形成されている。便座３０を開いた状態で、便座３０の下端側の左右両端には、本体部２０の各便座取付部２１に回動可能に取付けられる便座回動部３１がそれぞれ設けられている。
【００２９】
また、便座３０の裏面３０ｄには、便座３０を閉じたときに、便器２の上面２ｂに弾性的に当接する便座クッション部材３２が複数個（例えば、４個）設けられている。便座３０と便蓋４０とを閉じたときには、便座３０の表面３０ｃ（上面）は上方から便蓋４０により覆われる。また、便座３０と便蓋４０とを開いたときには、便座３０の表面３０ｃは後方から便蓋４０により覆われる。
【００３０】
便蓋４０は、本体部２０の便蓋取付部２２に回転可能に軸支されている。図２に示すように、便蓋４０は、便座３０を覆う平板状の蓋部４１と、蓋部４１の下端側（本体部２０側）の左右両端に設けられた便蓋回動部４２とを備えている。便蓋回動部４２は、本体部２０の便蓋取付部２２に対応する位置で、蓋部４１から突出して設けられている。図１、図６に示すように、蓋部４１の裏面４１ａの上端側には、左右方向に離間してクッション取付部４３がそれぞれ設けられている。これらクッション取付部４３には、便蓋クッション部材５０がそれぞれ取付けられる。
【００３１】
図６に示すように、各クッション取付部４３は、第１凹部４３ａと第２凹部４３ｂとを有している。この場合、左右のクッション取付部４３は、左右対称に形成され、第１凹部４３ａと第２凹部４３ｂとは上下方向でずれた位置に形成されている。第１凹部４３ａは、蓋部４１の内側（中央側）に位置してクッション取付部４３の上端側から下端側に向けて延びている。一方、第２凹部４３ｂは、第１凹部４３ａよりも左右方向の外側に位置して、クッション取付部４３の下端側から上端側に向けて延びている。すなわち、左右のクッション取付部４３の第１凹部４３ａと第２凹部４３ｂとは、異なる態様で形成されており、各便蓋クッション部材５０の誤組付けを抑制する本発明の誤組付抑制部となっている。
【００３２】
次に、便蓋４０の裏面４１ａに突出して設けられた左右の便蓋クッション部材５０について説明する。
【００３３】
各便蓋クッション部材５０は、便蓋４０の裏面４１ａに形成されたクッション取付部４３にそれぞれ取付けられている。各便蓋クッション部材５０は、左右対称に形成されている。これら便蓋クッション部材５０は、例えばエラストマ等の樹脂材料により直方体形状のブロック体として形成され、便座３０と便蓋４０とを開いた両開状態および便座３０と便蓋４０とを閉じた両閉状態にあるときに、便座３０と弾性的に接触するものである。そして、便蓋クッション部材５０は、便座３０に対して緩衝する緩衝部５０ａと、緩衝部５０ａからクッション取付部４３に向けて延び、クッション取付部４３に係合される係合部５０ｂとを有している。以下、各便蓋クッション部材５０は、左右対称の形状となっているので、以下右側の便蓋クッション部材５０について説明し、左側の便蓋クッション部材５０についてはその説明を省略する。
【００３４】
便蓋クッション部材５０の緩衝部５０ａには、便座３０と便蓋４０との両方を開いた両開状態で、便座３０の表面３０ｃと接触する第１の接触部５１と、第１の接触部５１とは離間した位置に設けられ、便座３０と便蓋４０との両方を閉じた両閉状態で、便座３０の表面３０ｃと接触する第２の接触部５２と、前記両開状態および前記両閉状態のいずれの状態においても便座３０の表面３０ｃと接触しない第１の非接触部５３と、第１の接触部５１と第２の接触部５２との間に設けられた第２の非接触部５４とを有している。
【００３５】
図２に示すように、第１の接触部５１は、便蓋クッション部材５０における周縁部５０ｃに設けられている。具体的には、第１の接触部５１は、便蓋クッション部材５０の周縁部５０ｃのうち、下端側で左右方向の内側（便蓋４０の中央側）に設けられている。換言すると、第１の接触部５１は、緩衝部５０ａの下端側の内側角部に設けられている。第１の接触部５１は、第２の接触部５２、および第２の非接触部５４とともに、便蓋４０の裏面４１ａからの突出量が最も大きい部分となっている。第１の接触部５１は、便蓋４０の裏面４１ａに略平行なフラット面（平坦面）となっており、第１の非接触部５３の面積よりも小さい面積で形成されている。
【００３６】
図１、図３に示すように、便座３０と便蓋４０との両開状態では、便座３０の外縁部３０ａが第２の接触部５２と第１の接触部５１との間に位置するようになっている。これにより、両開状態では、便座３０の表面３０ｃは第１の接触部５１に接触するようになっている。これにより、第１の接触部５１は、便座３０の表面３０ｃに大きな接触跡が残るのを抑制することができる。一方、図４、図５に示すように、便座３０と便蓋４０との両閉状態では、第１の接触部５１が便座３０の開口部３０ｂに位置することにより、便座３０の表面３０ｃに接触しないようになっている。
【００３７】
第２の接触部５２は、第１の接触部５１とは異なる位置で、便蓋クッション部材５０における周縁部５０ｃに設けられている。具体的には、第２の接触部５２は、便蓋クッション部材５０の周縁部５０ｃのうち、上端側で左右方向の外側に設けられている。すなわち、第２の接触部５２は、第１の接触部５１の対角線上に設けられている。第２の接触部５２は、便蓋４０の裏面４１ａからの突出量が第１の接触部５１および第２の非接触部５４と同様に形成されている。また、第２の接触部５２は、便蓋４０の裏面４１ａに略平行なフラット面（平坦面）となっており、第１の非接触部５３の面積よりも小さい面積で形成されている。
【００３８】
図１、図３に示すように、便座３０と便蓋４０との両開状態では、第２の接触部５２が便座３０の外縁部３０ａよりも外側に位置するようになっている。これにより、両開状態では、第２の接触部５２は便座３０の表面３０ｃに接触しないようになっている。一方、図４、図５に示すように、便座３０と便蓋４０との両閉状態では、第２の接触部５２が便座３０の開口部３０ｂよりも外側に位置して、便座３０の表面３０ｃに接触するようになっている。第２の接触部５２は、便座３０の表面３０ｃに大きな接触跡が残るのを抑制することができる。
【００３９】
第１の非接触部５３は、上側非接触部位５３ａと下側非接触部位５３ｂとを有している。上側非接触部位５３ａは、第１の接触部５１と、第２の接触部５２と、緩衝部５０ａの上端側で左右方向内側に位置する上角部５５とを結んだ範囲となっている。上角部５５は、第２の接触部５２の左右方向反対側に位置する角部である。一方、下側非接触部位５３ｂは、第１の接触部５１と、第２の接触部５２と、緩衝部５０ａの下端側で左右方向外側に位置する下角部５６とを結んだ範囲となっている。下角部５６は、第１の接触部５１とは左右方向反対側に位置する角部である。すなわち、第１の非接触部５３は、第２の非接触部５４の上側に位置する上側非接触部位５３ａと、第２の非接触部５４の下側に位置する下側非接触部位５３ｂとを有している。
【００４０】
第１の非接触部５３の上側非接触部位５３ａと下側非接触部位５３ｂとは、第１の接触部５１および第２の接触部５２よりも突出量が小さく形成されている。これにより、上側非接触部位５３ａと下側非接触部位５３ｂとは、便座３０と便蓋４０との両開状態および両閉状態のいずれの状態においても便座３０の表面３０ｃと接触しない部分となっている。また、第１の非接触部５３の上側非接触部位５３ａと下側非接触部位５３ｂとは、第１の接触部５１および第２の接触部５２の面積よりも大きく形成されている。
【００４１】
第１の非接触部５３は、第１の接触部５１、第２の接触部５２、および第２の非接触部５４から離れるに従って突出量が徐々に小さくなるように傾斜状に形成されている。具体的には、第１の非接触部５３の上側非接触部位５３ａは、第１の接触部５１、第２の接触部５２、および第２の非接触部５４から上角部５５に向けて便蓋４０からの突出量が小さくなるような傾斜面となっている。一方、第１の非接触部５３の下側非接触部位５３ｂは、第１の接触部５１、第２の接触部５２、および第２の非接触部５４から下角部５６に向けて便蓋４０からの突出量が小さくなるような傾斜面となっている。
【００４２】
第２の非接触部５４は、第１の接触部５１と第２の接触部５２との間に位置して、第１の接触部５１および第２の接触部５２と同一の突出量となるように形成されている。すなわち、第１の接触部５１、第２の接触部５２、および第２の非接触部５４は、同一平面上に形成され、便蓋４０の裏面４１ａからの高さ寸法が第１の非接触部５３よりも高くなっている。これにより、便蓋４０の裏面４１ａに露出する第１の接触部５１、第２の接触部５２、第１の非接触部５３、および第２の非接触部５４は、段差状に形成されていないので、全体的に滑らかとなりデザイン性を向上することができる。また、第１，第２の接触部５１,５２が局所的に突出していないので、清掃性を向上することができる。
【００４３】
図６に示すように、便蓋クッション部材５０の係合部５０ｂには、便蓋４０に設けられたクッション取付部４３の第１凹部４３ａと第２凹部４３ｂとに対応した位置に、それぞれ第１突部５７と第２突部５８とが設けられている。第１突部５７は、第１凹部４３ａに対応した位置に設けられ、便蓋クッション部材５０を便蓋４０に組付けるときに、第１凹部４３ａに係合する。一方、第２突部５８は、第２凹部４３ｂに対応した位置に設けられ、便蓋クッション部材５０を便蓋４０に組付けるときに、第２凹部４３ｂに係合する。
【００４４】
これにより、クッション取付部４３には、左右方向の内側に第１の接触部５１が位置し、左右方向の外側に第２の接触部５２が位置するように取付けることができる。すなわち、便蓋４０のクッション取付部４３の第１,第２凹部４３ａ，４３ｂと、便蓋クッション部材５０の第１，第２突部５７，５８とは、便蓋クッション部材５０を便蓋４０に組付けるときに、誤組付けを抑制する誤組み付け抑制部となっている。
【００４５】
本実施形態による便座装置１０は、上述の如き構成を有するもので、次に便座３０と便蓋４０とが両開状態または両閉状態となっているときに、便蓋４０に設けられた便蓋クッション部材５０と便座３０との接触状態について説明する。
【００４６】
図１、図３に示すように、便座３０と便蓋４０とが開いた両開状態では、便蓋４０からの突出量が大きい第１の接触部５１が便座３０の表面３０ｃと接触し、便蓋４０からの突出量が小さい第１の非接触部５３は便座３０に接触しない。また、第２の接触部５２および第２の非接触部５４は、便座３０の外縁部３０ａよりも外側に位置しているので、便座３０には接触しない。これにより、便座３０と便蓋４０との両開状態では、便蓋クッション部材５０の第１の接触部５１と便座３０の表面３０ｃとが接触となっている。
【００４７】
一方、図４、図５に示すように、便座３０と便蓋４０とが閉じた両閉状態では、便蓋４０からの突出量が大きい第２の接触部５２が便座３０の表面３０ｃと接触し、便蓋４０からの突出量が小さい第１の非接触部５３は便座３０に接触しない。また、第１の接触部５１と第２の非接触部５４とは、便座３０の開口部３０ｂよりも内側に位置しているので、便座３０には接触しない。これにより、便座３０と便蓋４０との両閉状態では、便蓋クッション部材５０の第２の接触部５２と便座３０の表面３０ｃとが接触となっている。
【００４８】
これにより、両開状態と両閉状態のいずれの状態においても、便座３０と便蓋４０が強く押し付けられた場合に、便蓋クッション部材５０と便座３０とが当たる面積を小さくできるため、便座３０の広範囲に接触跡が残ることを抑制できる。また、便蓋４０からの突出量の大きい第１の接触部５１と第２の接触部５２とにより、便蓋クッション部材５０を全体的に低く形成した場合であっても、両開状態および両閉状態のいずれの状態でも便蓋４０と便座３０とが直接当接することを抑制できる。
【００４９】
また、第１の接触部５１および前記第２の接触部５２は、第１の非接触部５３よりも面積が小さく形成されている。これにより、便座３０と便蓋４０が強く押し付けられた場合であっても、便蓋クッション部材５０と便座３０とが当たる面積をより小さくできるため、便座３０の広範囲に接触跡が残ることを抑制できる。
【００５０】
第１の接触部５１および第２の接触部５２は、それぞれ便蓋クッション部材５０における周縁部５０ｃに設けられている。この場合、第１，第２の接触部５１，５２よりも外側に非接触部を設けても、便座３０との接触状態および接触跡の面積についての効果は変わらない。そこで、第１、第２の接触部５１，５２を便蓋クッション部材５０の周縁部５０ｃに設けることで、便蓋クッション部材５０の便座３０に対向する露出面の面積を最小化して、便蓋クッション部材５０を可及的に小型化させることができる。
【００５１】
また、第１の接触部５１と第２の接触部５２とは、フラット面で形成されている。これにより、便座３０や便蓋４０のガタツキにより接触位置が多少ずれても、確実に第１、第２の接触部５１、５２と便座３０の表面３０ｃとを接触させることができる。すなわち、フラット面の範囲内で、便座３０と便蓋４０とのズレを許容させることができる。
【００５２】
また、第１の接触部５１と第２の接触部５２との間には、第１の接触部５１および第２の接触部５２と同一の突出量となるように形成された第２の非接触部５４が設けられている。これにより、第１の接触部５１と第２の接触部５２とが局所的に突出していないので、デザイン性や清掃性を向上させることができる。
【００５３】
また、第１の非接触部５３は、第１の接触部５１、第２の接触部５２、および第２の非接触部５４から離れるに従って突出量が徐々に小さくなるように傾斜状に形成されている。これにより、第１、第２の接触部５１，５２と第１の非接触部５３とに段差がないので、便蓋クッション部材５０の全体が滑らかとなり、デザイン性や清掃性を向上させることができる。
【００５４】
また、便蓋４０と便蓋クッション部材５０とには、便蓋クッション部材５０を便蓋４０に組付けるときに、誤組付けを抑制する誤組付抑制部が設けられている。この誤組付抑制部は、便蓋４０に設けられたクッション取付部４３の第１凹部４３ａとこの第１凹部４３ａに対応する便蓋クッション部材５０の第１突部５７およびクッション取付部４３の第２凹部４３ｂとこの第２凹部４３ｂに対応する便蓋クッション部材５０の第２突部５８を含んで構成されている。
【００５５】
これにより、便蓋クッション部材５０をクッション取付部４３に取付けたときには、必然的に便蓋４０の下端側で左右方向の内側に第１の接触部５１が位置し、便蓋４０の上端側で左右方向の外側に第２の接触部５２が位置することになる。従って、便蓋クッション部材５０の向きを間違えることなく、便蓋クッション部材５０を便蓋４０に組付けることができるので、組付作業の作業性を向上することができる。
【００５６】
なお、上述した実施形態では、第２の非接触部５４が第１の接触部５１と第２の接触部５２と同一平面となっている場合を例に挙げて説明した。しかし、本発明はこれに限らず、例えば第２の接触部は、第１の接触部５１と第２の接触部５２とよりも突出量が小さく形成されていてもよい。
【００５７】
また、上述した実施形態では、クッション取付部４３の第１凹部４３ａ、第２凹部４３ｂと便蓋クッション部材５０の第１突部５７、第２突部５８とにより誤組付抑制部を構成した場合を例に挙げて説明した。しかし、本発明はこれに限らず、例えばクッション取付部４３と便蓋クッション部材５０とに便蓋クッション部材５０の取付け向きを示す目印を設けてもよい。
【００５８】
また、上述した実施形態では、２個の便蓋クッション部材５０を便蓋４０に設けた場合を例に挙げて説明した。しかし、本発明はこれに限らず、例えば便蓋４０の左右方向の中央部に便蓋クッション部材を１個設けてもよい。また、便蓋４０に３個以上の便蓋クッション部材を設けてもよい。
【００５９】
以上、本発明の実施形態について説明した。しかし、本発明はこれらの記述に限定されるものではない。前述の実施形態に関して、当業者が適宜設計変更を加えたものも、本発明の特徴を備えている限り、本発明の範囲に包含される。例えば、便座装置１０が備える各要素の形状、寸法、材質、配置などは、例示したものに限定されるわけではなく適宜変更することができる。また、前述した実施形態が備える各要素は、技術的に可能な限りにおいて組み合わせることができ、これらを組み合わせたものも本発明の特徴を含む限り本発明の範囲に包含される。
【符号の説明】
【００６０】
１ トイレ装置、  ２ 便器、  ２ａ ボウル部、  ２ｂ 上面、  １０ 便座装置、  ２０ 本体部、  ２１ 便座取付部、  ２２ 便蓋取付部、  ３０ 便座、  ３０ａ 外縁部、  ３０ｂ 開口部、  ３０ｃ 表面、  ３０ｄ 裏面、  ３１ 便座回動部、  ３２ 便座クッション部材、  ４０ 便蓋、  ４１ 蓋部、  ４１ａ 裏面、  ４２ 便蓋回動部、  ４３ クッション取付部、  ４３ａ 第１凹部、  ４３ｂ 第２凹部、  ５０ 便蓋クッション部材、  ５０ａ 緩衝部、  ５０ｂ 係合部、  ５０ｃ 周縁部、  ５１ 第１の接触部、  ５２ 第２の接触部、  ５３ 第１の非接触部、  ５３ａ 上側非接触部位、  ５３ｂ 下側非接触部位、  ５４ 第２の非接触部、  ５５ 上角部、  ５６ 下角部、  ５７ 第１突部、  ５８ 第２突部  
【図１】
2020103594.tif 000003
【図２】
2020103594.tif 000004
【図３】
2020103594.tif 000005
【図４】
2020103594.tif 000006
【図５】
2020103594.tif 000007
【図６】
2020103594.tif 000008
【図７】
2020103594.tif 000009